(57)【要約】【課題】この発明は、筆軸という直線の概念に捕らわれず、非常に正確で繊細な筆使いを可能にする筆柄を提供することを目的とする。【解決手段】筆１の穂先１１に接続具１２で接続される筆柄２であって、筆柄２は、接続具１２側に湾曲部２１を備え、湾曲部２１は、筆１全体を略ヘ字形状とすることを特徴とする筆柄。従来の筆軸という概念に捕らわれず、筆柄そのものを湾曲させたことによって、対象物に対して非常に塗りやすい筆を提供することができる。【選択図】図１
2014097158.tif 000002
【特許請求の範囲】
【請求項１】
筆（１）の穂先（１１）に接続具（１２）で接続される筆柄（２）であって、
筆柄（２）は、接続具（１２）側に湾曲部（２１）を備え、
湾曲部（２１）は、筆（１）全体を略ヘ字形状とすること
を特徴とする筆柄。
【請求項２】
筆柄（２）は、
少なくとも２つの長尺部材（３、４）によって構成されており、
筆柄（２）の一端は、穂先側端であり、
もう一端は少なくとも２つの長尺部材（３、４）の結合部（２２）であり、
長尺部材（３、４）は、
撓ませた態様で接続具（１２）位置と結合部（２２）位置で固定されており、
少なくとも筆柄（２）の中央に弾力部（２３）を形成すること
を特徴とする請求項１記載の筆柄
【請求項３】
筆柄（２）は、接続具（１２）側を幅狭に形成されており、
幅狭に変更する箇所は、食指載置部（２４）であり、
食指載置部（２４）は、筆柄（２）の中央と接続具（１２）側端との間にあること
を特徴とする請求項１または２に記載の筆柄。
【発明の詳細な説明】
【技術分野】
【０００１】
本発明は、筆穂に接続される筆柄に関するものである。
【背景技術】
【０００２】
従来、塗料を対象物に塗布する目的で、複数の毛を束ねた穂先と筆軸とを接続した筆が用いられている。
【０００３】
しかしながら、筆軸は直線状のものであり、繊細な作業を行うには不適切な形状であった。そして、筆穂が細いものであると、筆軸も細くなり扱いづらいものであった。（例えば、特許文献１）
また、先端と筆軸を接続する接続部を用いて、角度変更が可能な筆記用具が開示されているが、軸は真っ直ぐであり、筆使いが難しいものであった。（例えば、特許文献２）
マニキュア液などを繊細に使用するネイルアート用筆においては、美しく見せるための作業であるため、非常に正確で繊細な筆使いを可能にする筆が求められている。
【先行技術文献】
【特許文献】
【０００４】
【特許文献１】特開２００５−０１３３９６号公報
【０００５】
【特許文献２】特表２００２−５３４３０３号公報
【発明の概要】
【発明が解決しようとする課題】
【０００６】
そこで、この発明は、筆軸という直線の概念に捕らわれず、非常に正確で繊細な筆使いを可能にする筆柄を提供することを目的とする。
【課題を解決するための手段】
【０００７】
上記目的を達成するため本件発明は以下の手段を用いた。
（請求項１記載の発明）
請求項１記載の発明は、筆の穂先に接続具で接続される筆柄であって、筆柄は、接続具側に湾曲部を備え、湾曲部は、筆全体を略ヘ字形状とすることを特徴とする。
（請求項２記載の発明）
請求項２記載の発明は、請求項１記載の筆柄において、筆柄は、少なくとも２つの長尺部材によって構成されており、筆柄の一端は、穂先側端であり、もう一端は少なくとも２つの長尺部材の結合部であり、長尺部材は、撓ませた態様で接続具位置と結合部位置で固定されており、少なくとも筆柄の中央に弾力部を形成することを特徴とする。
（請求項３記載の発明）
請求項３記載の発明は、請求項１または２記載の筆柄において、筆柄は、接続具側を幅狭に形成されており、幅狭に変更する箇所は、食指載置部であり、食指載置部は、筆柄の中央と接続具側端との間にあることを特徴とする。
【発明の効果】
【０００８】
（請求項１記載の発明の効果）
請求項１記載の発明は、従来の筆軸という概念に捕らわれず、筆柄としたものである。そして筆柄そのものを湾曲させたことによって、対象物に対して非常に塗りやすい筆を提供することができる。特に、マニキュア液、ペディキュア液を使用者自らの爪に塗布する場合において、穂先が爪に接触している箇所を爪正面から視認しやすくなるため、微細なマーブル模様、水玉模様などの模様を思い通りに作成することができる。
（請求項２記載の発明の効果）
長尺部材２本を撓ませて固定することによって、ピンセットの如く弾力を持つ筆柄にすることができる。これによって、繊細な加工において指先が震えたとしても、当該筆柄がその震えを緩和または吸収するため、穂先に指先の震えがそのまま伝わることがなく、所望の微細な模様を思い通りに作成することができる。同様の弾力を持たせるのであれば、ラバーゴムなどを用いても良いが、この場合費用が大きくなると共に嵩張るものとなる。
（請求項３記載の発明の効果）
食指載置部を設け、この食指の指先から湾曲を開始させると、食指で操作するような筆使いが可能となり、作業時に持ち易く、そして、正確かつ繊細な作業を行う上で好ましい態様となる。
【図面の簡単な説明】
【０００９】
【図１】図１は、筆の全体斜視図である。
【図２】図２は、筆の左側面図である。
【図３】図３は、筆の上面図である。
【図４】図４は、筆の底面図である。
【図５】図５は、筆の後側面図である。
【図６】図６は、筆の前側面図である。
【図７】図７は、図２における筆柄のＡ−Ａ断面図である。
【図８】図８は、筆の使用態様を示す斜視図である。
【発明を実施するための形態】
【００１０】
以下にこの発明の筆柄を実施例として示す各図と共に説明する。
【実施例１】
【００１１】
〔１．筆１について〕
この発明に記載の筆１は、爪にマニキュアなどの塗料を塗る作業に用いられるものであり、一般的にハケ・ブラシと呼称されている。そして、筆１は、特にネイルアートに用いるネイル筆やジェルネイルブラシを想定している。したがって、筆１の全長は、ペンキ塗りのハケのような大掛かりなものではなく、４０ｍｍ〜２００ｍｍ程度である。
筆１は、図１〜図６に示すように、穂先１１と筆柄２とを、接続具１２で結合させたものである。
【００１２】
穂先１１は、長さ０．１ｍｍ〜２０ｍｍとし、幅０．１ｍｍ〜２０ｍｍの範囲内とすることができる。穂先１１の形状として、ネイル筆として代表的な、スクエア（長方形形状）、フレンチ（台形形状）、ラウンド（オーバル形状）、アート（面相筆形状）を例示することができる。穂先１１の材質として、ナイロン繊維、動物の毛などを例示することができる。
接続具１２は、穂先１１を束ねると共に、筆柄２１と接続するものである。接続具１２には、金属材料や樹脂材料を用いることができる。
【００１３】
〔２．筆柄２について〕
筆柄２は、図１〜図７に示すように、少なくとも２つの長尺部材３、４（長尺部材右３と、長尺部材左４）によって構成され、接続具１２側に略円弧状の湾曲部２１を備え、筆１全体を略ヘ字形状としている。長尺部材右３と長尺部材左４とは左右対称に形成されており、閉じたピンセットのように組み合わせられている。長尺部材右３と長尺部材左４には、金属、樹脂、紙など、長尺板形状において弾力を生じるものを用いることができる。湾曲部２１の曲率半径は１７．５ｍｍであり、１５〜２０ｍｍであることが好ましい。この範囲にあると、マニキュア液などを使用者自らの爪に塗布する場合において、穂先が爪に接触している箇所を爪正面から視認しやすくなるため、微細な模様を思い通りに作成することができる。
【００１４】
図１〜図７に示すように、長尺部材右３と長尺部材左４の一端は接続具１２と接続される穂先側端であり、他端は、長尺部材右３と長尺部材左４の結合部２２である。
長尺部材右３と長尺部材左４は、結合部２２と穂先側端においては密着しているが、長尺部材右３と長尺部材左４の中央付近では、離間している。すなわち長尺部材右３と長尺部材左４は、結合部２２と穂先側端とを両端とし、紡錘形状である。
紡錘形状としたことにより、板状の長尺部材右３と長尺部材左４は、撓ませた態様で接続具１２位置と結合部２２位置で固定されており、少なくとも筆柄２の中央に弾力部２３を形成する。
【００１５】
〔３．弾力部２３について〕
前述の弾力部２３の弾力は、長尺部材右３と長尺部材左４の厚みと材質そして離間距離に起因する。
離間距離は、３ｍｍ〜１５ｍｍとするのが好ましく、厚みを１ｍｍ〜３ｍｍ程度とするのが好ましい。このようにすると、指で筆柄２を持つ時に適度な弾力となる。
【００１６】
〔４．湾曲部２１について〕
長尺部材右３と長尺部材左４において、長手方向をＸ軸、厚み方向（弾力方向）をＺ軸とすると、図１〜図４に示すように尺部材右３と長尺部材左４はＹ軸方向に湾曲し、筆１全体を略ヘ字形状としている。すなわち、筆１全体を略ヘ字形状とした時の折れ曲がり点が、湾曲部２１である。湾曲部２１によって、筆穂１１から接続具１２と結合部２２から弾力部２３とは、１００°〜１５０°に角度付けされる。１１０°〜１３０°に角度付けするのが好ましい。この範囲にあると、マニキュア液等を使用者自らの爪に塗布する場合において、穂先１１が爪に接触している箇所を目視したときに、筆柄２を持つ指又は筆柄２そのものが視界を遮らないため、爪に対して穂先１１を立てた状態であっても爪正面から視認しやすくなり、微細な模様を作成することができる。
なお、前述の角度付けが可能であれば、折れ曲がり点の曲率は、緩やかな弧を描く大きなものでも良いし、急激に角度がつく小さなものでもよい。
【００１７】
〔５．長尺部材３、４の幅について〕
長尺部材右３と長尺部材左４はＹ軸方向に、Ｚ軸方向の厚みよりも大きい、幅を有する。この幅は、接続具１１側よりも結合部２２側の方が大きい。すなわち、筆柄２は、接続具１２側を幅狭に形成されている。結合部２２側の幅を２０ｍｍ〜７ｍｍとし、接続具１２側の幅を１２ｍｍ〜４ｍｍとするのが好ましい。
結合部２２側から接続具１２側への幅の縮小は、なだらかであっても良いし、急激であっても良い。筆柄２の中央と接続具１２側端との間に幅狭に変更する箇所を設け、食指載置部２４とすることができる。食指載置部２４を備えると、人差し指の指先と穂先１１の動きが同じになるので、人差し指での直感的な操作が可能となる。食指載置部２４は、人差し指に沿うように緩やかな曲線状または直線状に傾斜して形成されることが好ましい。
【００１８】
〔６．筆柄２の使用について〕
前述の構成である筆柄２を取り付けた筆１は、以下のように使用される。
使用者は、図８に示すような態様で、一方の手で筆１を持ち、もう一方の手の爪を装飾する。この筆１であると湾曲部２１により、使用者は手首同士を接触させる状態で、爪の装飾をすることができる。したがって、従来の真っ直ぐな筆のように片方の手首を浮かせた不安定な状態ではないので、筆１はマーブル塗りなど難易度の高いネイルアートを一人でも行うことができる。
また、弾力部２３によって筆柄２を持った時に程よい押し返し感があるので、筆１は細かい作業をする場合であっても、指先が震えたとしても、当該筆柄がその震えを緩和または吸収するため、穂先１１に指先の震えがそのまま伝わることがなく、所望の微細な模様を思い通りに作成することができる。さらに、弾力部２３は押すと筆１全体が細くなるので、従来の細軸筆たてなどに、取り付けることができる。
さらに、食指載置部２４を設け、この人差し指の指先から湾曲を開始させると、人差し指の指先で操作するような筆使いが可能となり、正確かつ繊細な作業を行う上で好ましい態様となる。
【産業上の利用可能性】
【００１９】
本件発明は、ネイルアートに用いる筆の筆柄であるが、他にも微細な塗装や装飾に用いる筆の筆柄として利用することができる。
【００２０】
１    筆
１１  筆穂
１２  接続具
２    筆柄
２１  湾曲部
２２  接続部
２３  弾力部
２４  食指載部
３    長尺部材  右
４    長尺部材  左
【図１】
2014097158.tif 000003
【図２】
2014097158.tif 000004
【図３】
2014097158.tif 000005
【図４】
2014097158.tif 000006
【図５】
2014097158.tif 000007
【図６】
2014097158.tif 000008
【図７】
2014097158.tif 000009
【図８】
2014097158.tif 000010